(57)【要約】【課題】箱形バッテリーパックにおいて、箱形筐体の外観輪郭形状に一定の立体的な変化を持たせたり、箱形筐体に動物を連想させるようなキャラクター性を持たせたりすることによって、使用者の趣味感や趣向に訴えかけることができるようにする。【解決手段】箱形筐体１０に、弾力性を有する樹脂成形体でなる突起物５０を突出状態で装着する。箱形筐体１０の外面に、猫などの動物を表現する柄模様４１〜４３を施し、突起物５０を、猫などの動物の身体の一部である耳を模して形成された擬似物体で形成する。【選択図】図１
0003209319.tif 000002
【実用新案登録請求の範囲】
【請求項１】
前ケースと後ケースとを組み合わせて結合することによって形成され、かつ、前後の２箇所と上下及び左右の４箇所とに壁部を有する六面体でなる中空の箱形筐体に、外部電源によって充電された二次電池の電力を携帯型電子機器に給電する機能を備えた充放電モジュールが内蔵されてなる箱形バッテリーパックであって、
上記箱形筐体に、弾力性を有する樹脂成形体でなる突起物が突出状態で装着されていることを特徴とする箱形バッテリーパック。
【請求項２】
動物に見立てられた上記箱形筐体の外面に、その動物を表現する柄模様が平面的又は立体的に施されていると共に、上記突起物が、その動物の身体の一部を模して形成された擬似物体である請求項１に記載した箱形バッテリーパック。
【請求項３】
上記柄模様によって動物の顔面を含む頭部が表現され、上記突起物がその動物の耳を模した擬似物体である請求項１又は請求項２に記載した箱形バッテリーパック。
【請求項４】
上記前ケース及び上記後ケースが、互いに突き合わされて上記箱形筐体の上下及び左右の４箇所の上記壁部から選ばれた任意の壁部を形成する前板片部及び後板片部を各別に有し、かつ、それら前後の各板片部に、互いに突き合わされることによって孔部を形成する凹入部がそれぞれ設けられているのに対して、上記突起物が、前後の上記各板片部に跨って重ね合わされる平坦面と、その平坦面から突出された取付け軸部及びその取付け軸部の端部に設けられた鍔部と、を有し、上記突起物の装着箇所では、その取付け軸部が、前後の上記各板片部の凹入部の周壁によって挟持されていると共に、前後の上記各板片部が、突起物の上記平坦面と上記鍔部とによって挟み付けられている請求項１ないし請求項３のいずれか１項に記載した箱形バッテリーパック。
【請求項５】
上記箱形筐体に、前後の上記各板片部が互いに突き合わされることによって形成される上記孔部とその箱形筐体に装着された上記突起物の取付け軸部の端部に設けられている上記鍔部とを当該箱形筐体の内側から覆う溝形の遮蔽壁が設けられている請求項４に記載した箱形バッテリーパック。
【請求項６】
上記遮蔽壁が、上記前ケースと後ケースとに振り分けて設けられて前後の上記各板片部が互いに突き合わされることによって互いに嵌合して当該遮蔽壁を形成する第１及び第２の２つの溝形部材に分割されている請求項５に記載した箱形バッテリーパック。
【請求項７】
上記取付け軸部及び上記孔部の周壁のうちの一方に溝部が設けられ、他方に、上記溝部に嵌合して取付け軸部の回転を阻止する突起が設けられている請求項４ないし請求項６のいずれか１項に記載した箱形バッテリーパック。
【請求項８】
前ケースの上記前板片部及び後ケースの上記後板片部が、上記箱形筐体の上壁部を形成している請求項４ないし請求項７のいずれか１項に記載した箱形バッテリーパック。
【考案の詳細な説明】
【技術分野】
【０００１】
本考案は、箱形バッテリーパック、特に使用者の趣味感や趣向に訴えかけることができるようにデザインされた箱形バッテリーパックに関する。
【背景技術】
【０００２】
フィーチャーフォンやスマートフォン、タブレットといった携帯型電子機器の電源には、それらの機器に内蔵された二次電池のほか、その二次電池の所謂電池切れを補完したり、その二次電池を充電したりする機能を有する二次電池を用いることが行われている。この種の二次電池は、六面体でなる中空の箱形筐体に内蔵されて、箱形バッテリーパックとして提供されていることが多い。
【０００３】
一方、上記のような箱形バッテリーパックは、若年層から高年層に至る広範な年齢層の使用者によって選ばれている。また、特に若年の使用者は、基本的な充放電機能を満たすことに加えて、外観デザインを重視して自己の趣味感や趣向を満たすことのできる箱形バッテリーパックを選択する傾向がある。そのようなニーズを踏まえ、従来より、箱形バッテリーパックの筐体の表面に様々な柄模様を施すことが行われている（従来例）。
【０００４】
また、先行例には、バッテリーのケースに光透過性を発揮する箇所を散在させておき、その箇所からケースに内蔵したＬＥＤランプの光を透過させることによって装飾性を高めることが記載されている（特許文献１参照）。
【０００５】
上記した従来例や特許文献１によって提案されているデザイン性や装飾性を高める手段は、いずれも、箱形バッテリーパックの六面体でなる箱形筐体の基本的な外観輪郭形状を変えることなく、その箱形筐体の外面に柄模様を施したり光透過箇所を形成したりしていた。
【先行技術文献】
【特許文献】
【０００６】
【特許文献１】実用新案登録第３１９６１８４号公報
【考案の概要】
【考案が解決しようとする課題】
【０００７】
本考案は上記事情に鑑みてなされたものであり、箱形筐体の外観輪郭形状に一定の立体的な変化を持たせることによって、使用者の趣味感や趣向に訴えかけることができるようにデザインされた箱形バッテリーパックを提供することを目的としている。
【０００８】
また、本考案は、箱形筐体を動物に見立てた上で、その箱形筐体に動物を連想させるようなキャラクター性を持たせ、そうすることによって、使用者の趣味感や趣向に訴えかけることができるようにデザインされた箱形バッテリーパックを提供することを目的としている。
【課題を解決するための手段】
【０００９】
本考案に係る箱形バッテリーパックは、前ケースと後ケースとを組み合わせて結合することによって形成され、かつ、前後の２箇所と上下及び左右の４箇所とに壁部を有する六面体でなる中空の箱形筐体に、外部電源によって充電された二次電池の電力を携帯型電子機器に給電する機能を備えた充放電モジュールが内蔵されてなる。そして、上記箱形筐体に、弾力性を有する樹脂成形体でなる突起物が突出状態で装着されている。
【００１０】
この構成を備えた箱形バッテリーパックは、箱形筐体に突出状態で装着された突起物が、六面体でなる箱形筐体の外観輪郭形状に一定の変化を持たせることに役立つので、箱形筐体の表面に柄模様を施したり光透過箇所を形成することなく、その箱形筐体に使用者の趣味感や趣向に訴えかけやすいデザインを付与することが可能になる。また、突起物が箱形筐体に突出状態で装着されているとしても、その突起物が弾力性を有する樹脂成形体で作られていることにより、使用者がその突起物に指を引っ掛けて怪我をしたりする心配がなく、また、突起物が他の物体に当たってその物体を傷付けたり突起物自体が欠損したりするおそれも少ない。
【００１１】
本考案では、動物に見立てられた上記箱形筐体の外面に、その動物を表現する柄模様が平面的又は立体的に施されていると共に、上記突起物が、その動物の身体の一部を模して形成された擬似物体である、という構成を採用することが可能である。この構成によれば、箱形筐体の外面の柄模様や擬似物体でなる突起物が、箱形筐体に特定の動物を連想させるようなキャラクター性を持たせることに役立つ。ここで、「箱形筐体の外面に動物を表現する柄模様が平面的又は立体的に施されている」とは、箱形筐体の外面に印刷やシール貼付によって柄模様が表現されていることであり、「箱形筐体の外面に動物を表現する柄模様が立体的に施されている」とは、箱形筐体を形成している前後の壁部や上下及び左右の壁部から選ばれる任意の壁部に孔部や溝部といった凹所を具備させ、それらの凹所によって柄模様が表現されていることである。また、上記擬似物体が弾力性を有する樹脂成形体でなる突起物によって形成されていることにより、その擬似物体を使用者が指で捻ったり曲げたりして遊ぶことも可能である。
【００１２】
本考案では、上記柄模様によって動物の顔面を含む頭部が表現され、上記突起物がその動物の耳を模した擬似物体である、という構成を採用することが可能である。この構成によれば、柄模様と擬似物体との共働によって、猫や犬、うさぎ、パンダといった具体的な動物を連想させるようなキャラクター性を当該箱形バッテリーパックに持たせることが可能である。また、この構成によっても、上記擬似物体が弾力性を有する樹脂成形体でなる突起物によって形成されていることにより、その擬似物体を使用者が指で捻ったり曲げたりして遊ぶことも可能である。
【００１３】
本考案では、上記前ケース及び上記後ケースが、互いに突き合わされて上記箱形筐体の上下及び左右の４箇所の上記壁部から選ばれた任意の壁部を形成する前板片部及び後板片部を各別に有し、かつ、それら前後の各板片部に、互いに突き合わされることによって孔部を形成する凹入部がそれぞれ設けられているのに対して、上記突起物が、前後の上記各板片部に跨って重ね合わされる平坦面と、その平坦面から突出された取付け軸部及びその取付け軸部の端部に設けられた鍔部と、を有し、上記突起物の装着箇所では、その取付け軸部が、前後の上記各板片部の凹入部の周壁によって挟持されていると共に、前後の上記各板片部が、突起物の上記平坦面と上記鍔部とによって挟み付けられている、という構成を採用することが望ましい。この構成を採用しておくと、前ケースと後ケースとを組み合わせる工程で、突起物の取付け軸部を、前ケースの前板片部と後ケースの後板片部とにそれぞれ設けられている凹入部の間に挟み込むだけで突起物を箱形筐体に容易に装着することが可能になる。また、突起物の装着箇所では、取付け軸部が前板片部及び後板片部の各凹入部の周壁によって挟持されていると共に、前ケース及び後ケースのそれぞれの板片部が、突起物の平坦面と鍔部とによって挟み付けられていることにより、突起物が弾力性を有する樹脂成形体で作られているとしても、その突起物が箱形筐体から容易に外れ落ちてしまうという事態を生じることもない。
【００１４】
本考案では、上記箱形筐体に、前後の上記各板片部が互いに突き合わされることによって形成される上記孔部とその箱形筐体に装着された上記突起物の取付け軸部の端部に設けられている上記鍔部とを当該箱形筐体の内側から覆う溝形の遮蔽壁が設けられていることが望ましい。この構成を採用しておくと、何らかの原因で上記突起物が箱形筐体から脱落して箱形筐体の孔部が開いたとしても、上記遮蔽壁によって孔部が箱形筐体の内側から覆われているために、外部のゴミや埃、水、ヘアピンといった異物が孔部から箱形筐体の内部に侵入することがない。そのため、箱形筐体に内蔵されている充放電モジュールがそれらのゴミや埃などに起因する動作不良を起こすという事態が防止される。
【００１５】
本考案では、上記遮蔽壁が、上記前ケースと後ケースとに振り分けて設けられて前後の上記各板片部が互いに突き合わされることによって互いに嵌合して当該遮蔽壁を形成する第１及び第２の２つの溝形部材に分割されていることが望ましい。この構成を採用すると、上記前ケースと後ケースとを突き合わせて組み合わせる工程を行うと、第１及び第２の２つの溝形部材が互いに嵌合して遮蔽壁を形成する。そのため、遮蔽壁を前ケースや後ケースとは異なる別部材とした場合に比べて箱形筐体の組み立てが容易になる。
【００１６】
本考案では、上記取付け軸部及び上記孔部の周壁のうちの一方に溝部が設けられ、他方に、上記溝部に嵌合して取付け軸部の回転を阻止する突起が設けられている、という構成を採用することが可能である。この構成を採用しておくと、向きが変わらないように突起物が箱形筐体に装着される。そのため、突起物が、たとえば猫の耳を模した擬似物体によって形成されている場合には、その突起物の向きが後ろ向きになったりして外観上の違和感を生じさせるといった事態が起こらなくなる。また、この構成によっても、突起物が弾力性を有する樹脂成形体で作られていることにより、その突起物を使用者が指で捻ったり曲げたりして遊ぶことも可能である。
【００１７】
本考案では、前ケースの上記前板片部及び後ケースの上記後板片部が、上記箱形筐体の上壁部を形成している、という構成を採用することが可能である。これによれば、突起物が、たとえば猫の耳を模した擬似物体によって形成されている場合に、その突起物が箱形筐体から上向きに突き出た形態になるので、突起物である擬似物体によって表現される猫の耳の位置に外観上の違和感が生じない。
【考案の効果】
【００１８】
以上説明したように、本考案に係る箱形バッテリーパックによれば、箱形筐体の外観輪郭形状に一定の立体的な変化を持たせたり、箱形筐体を動物に見立てた上で、その箱形筐体に動物を連想させるようなキャラクター性を持たせることができるので、使用者の多様な趣味感や趣向に訴えかけることができるようにデザインされた箱形バッテリーパックを提供することが可能になる。
【図面の簡単な説明】
【００１９】
【図１】本考案の実施形態に係る箱形バッテリーパックの外観斜視図である。
【図２】前ケースの概略部分斜視図であある。
【図３】図２のＩＩＩ部拡大図である。
【図４】後ケースの概略部分斜視図である。
【図５】突起物の正面図である。
【図６】後ケースの後板片部に形成されている凹入部に突起物の取付け軸部を嵌合させた状態の正面図である。
【図７】箱形筐体に装着された突起物の取付け構造を示した縦断側面図である。
【考案を実施するための形態】
【００２０】
図１は本考案の実施形態に係る箱形バッテリーパックの外観斜視図である。同図の箱形バッテリーパックは、偏平な中空の箱形筐体１０に内蔵されている充放電モジュール（不図示）の機能により、外部電源によって充電された二次電池の電力を携帯型電子機器に給電することが可能である。この箱形筐体１０は、硬質樹脂製の前ケース２０と後ケース３０とを組み合わせて結合することによって形成されていて、前後の２箇所と上下及び左右の４箇所とに壁部を有する六面体でなる。なお、図１には、前壁部１１と上壁部１３と左側壁部１５とが示され、後壁部と下壁部と右側壁部とは表れていない。
【００２１】
図２は前ケース２０の概略部分斜視図、図３は図２のＩＩＩ部拡大図、図４は後ケース３０の概略部分斜視図である。図１及び図２を併せ見ることによって判るように、前ケース２０は、箱形筐体１０の前壁部１１を形成している前板部２１と、この前板部２１の上辺及び下辺から後向きに突き出た上下の前板片部２２，２３と、箱形筐体１０の左側壁部１５を形成している左側板部２４と、箱形筐体１０の右側壁部を形成している右側板部とを有している。これらのうち、右側板部は図示省略されている。また、図１及び図４を併せ見ることによって判るように、後ケース３０は、箱形筐体１０の後壁部を形成している後板部３１と、この後板部３１の上辺及び下辺から前向きに突き出た上下の後板片部３２，３３とを有している。
【００２２】
さらに、前ケース２０及び後ケース３０には、それらを組み合わせて結合するための手段が備わっている。図示例において、この結合手段は、前ケース２０の左側板部２４の複数箇所に設けられた係合突起２５及び後ケース３０の左辺の突片３４に具備された係合孔部３５と、前ケース２０の右側板部の複数箇所に設けられた係合突起（不図示）及び後ケース３０の右辺の突片に具備された係合孔部（不図示）と、前ケース２０の上下の前板片部２２，２３にそれぞれ設けられた係合孔部２６（上側の前板片部２２に設けられている係合孔部は図に表れていない）及び後ケース３０の上下の後板片部３２，３３にそれぞれ設けられた係合突起３６（上側の後板片部３２に設けられている係合突起は図に表れていない）と、からなる。そして、前ケース２０と後ケース３０とを突き合わせ状態に組み合わせ、併せて、相対応する上記した係合突起２５，３６と係合孔部３５，２６とを係合させることによって前ケース２０と後ケース３０とが結合されて箱形筐体１０が組み立てられる。なお、箱形筐体１０の左側壁部１５には、残量表示スイッチボタン用孔１６や充電用の入力端子孔１７や給電用の出力端子孔１８や残量表示用パイロットランプ窓１９などが設けられている。
【００２３】
この実施形態では、箱形筐体１０が動物、具体的には猫に見立てられていて、図１に示したように、その外面に、その動物を表現する柄模様が平面的又は立体的に施されている。具体的には、箱形筐体１０の前壁部１１に、猫の目や鼻口を表現するための円形の柄模様４１や三角形の柄模様４２が、その前壁部１１に形成した孔部などの凹所によって立体的に表現されている。また、箱形筐体１０の前壁部１１や左側壁部１５，さらに後壁部や右側壁部には、猫の身体模様を表現するための縞柄模様４３が印刷又はシール貼付によって平面的に施されている。
【００２４】
また、箱形筐体１０の上壁部１３の左右２箇所に、猫の身体の一部である耳を模して形成された正面視略三角形状の擬似物体でなる突起物５０が上向きの突出状態で装着されている。この突起物５０はその全体がシリコンゴムなどで作られた弾力性を有する樹脂成形体でなる。
【００２５】
以上説明した箱形バッテリーパックによれば、突起物５０が、六面体でなる箱形筐体１０の外観輪郭形状に一定の変化を持たせることに役立っていることにより、その箱形筐体１０に使用者の趣味感や趣向に訴えかけるデザインが付与されている。また、突起物５０は弾力性を有する樹脂成形体で作られているために、使用者がその突起物５０に指を引っ掛けて怪我をしたりする心配がなく、突起物５０が他の物体に当たってその物体を傷付けたり突起物５０自体が欠損したりするおそれも少ない。さらに、動物の猫に見立てられた箱形筐体１０の外面に、猫を表現する柄模様４１〜４３が平面的又は立体的に施されていることによって、その箱形筐体１０によって猫の顔面を含む頭部が表現されており、しかも、突起物５０が猫の耳を模して形成された擬似物体であるために、箱形筐体１０が、特定の動物である猫を連想させるようなキャラクター性を発揮する。さらに、上記擬似物体が弾力性を有する樹脂成形体でなる突起物５０によって形成されていることにより、その擬似物体を使用者が指で捻ったり曲げたりして遊ぶことも可能である。
【００２６】
次に、突起物５０を箱形筐体１０に装着するために突起物５０や前ケース２０及び後ケース３０に施された対策について説明する。
【００２７】
図５はこの突起物５０の正面図である。同図のように、この突起物５０は、その下面によって形成された平坦面５１と、その平坦面５１から下向きに突出された取付け軸部５２及びこの取付け軸部５２の端部に設けられた鍔部５３とを有している。このような突起物５０の構成に対して、前ケース２０の上側の前板片部２２や後ケース３０の上側の後板片部３２には、図２及び図４に示した半円形の凹入部２８，３８が形成されている。
【００２８】
図６は後ケース３０の上側の後板片部３２に形成されている凹入部３８に突起物５０の取付け軸部５２を嵌合させた状態を示す正面図、図７は箱形筐体１０に装着された突起物５０の取付け構造を示した縦断側面図である。
【００２９】
上記した半円形の凹入部２８，３８は、前後のケース２０，３０を組み合わせて結合するのに伴って上記した前後の板片部２２，３２が互いに突き合わされたときに、協働して円形の孔部６０を形成する。そして、図７に示したように、箱形筐体１０に対する突起物５０の装着箇所では、その取付け軸部５２が、前後の上記各板片部２２，３２の凹入部２８，３８の周壁によって挟持されている。また、前後の上記各板片部２２，３２が、突起物５０の平坦面５１と鍔部５３とによって挟み付けられている。したがって、突起物５０の平坦面５１は、前後の上記各板片部２２，３２に跨って重ね合わされている。
【００３０】
さらに、この実施形態では、前ケース２０側の凹入部２８に、図２又は図３に示した突部２９が設けられていて、この突部２９が、上記した孔部６０に設けられた突起６１として作用するようになっている。これに対し、突起物５０の取付け軸部５２には、上記突起６１が嵌合する溝部５４が設けられている。そして、上記のように、取付け軸部５２が前後の上記各板片部２２，３２の凹入部２８，３８の周壁によって挟持されている状態では、取付け軸部５２の溝部５４に孔部６０の突起６１が嵌合し、それら両者の係合によって取付け軸部５２の回転が阻止されるようになっている。
【００３１】
図７に示した取付け構造を採用すると、前ケース２０と後ケース３０とを組み合わせる工程で、突起物５０の取付け軸部５２を、前ケース２０の前板片部２２と後ケース３０の後板片部３２とにそれぞれ設けられている凹入部２８，３８の間に挟み込むだけで突起物５０を箱形筐体１０に容易に装着することが可能になる。また、突起物５０が弾力性を有する樹脂成形体で作られているとしても、その突起物５０が箱形筐体１０から容易に外れ落ちてしまうという事態を生じることもない。さらに、取付け軸部５２の溝部５４に孔部６０の突起６１が嵌合していることにより、猫の耳を模した擬似物体によって形成されている突起物５０の向きが後ろ向きになったりして外観上の違和感を生じさせるといった事態が起こらない。
【００３２】
以上説明した構成を有する実施形態では、箱形筐体１０に装着された突起物５０は、その取付け軸部５２が孔部６０に嵌合状態で保持され、かつ、前後の上記各板片部２２，３２が突起物５０の平坦面５１と鍔部５３とによって挟み付けられていることにより、箱形筐体１０から容易に脱落するという事態は起こらない。しかし、何らかの原因で突起物５０が箱形筐体１０から脱落するということも考えられる。そして、突起物５０が箱形筐体１０から脱落してしまうと、上記孔部６０が開いて箱形筐体１０の内部に外部からゴミや埃、水、ヘアピンといった異物が侵入し、その箱形筐体１０に内蔵されている充放電モジュールがそれらのゴミや埃などに起因する動作不良を起こすという事態が起こり得る。
【００３３】
そこで、この実施形態では、図７に示したように、箱形筐体１０に、前後の上記各板片部２２，３２が互いに突き合わされることによって形成される孔部６０とその箱形筐体１０に装着された突起物５０の取付け軸部５２の端部に設けられている上記鍔部５３とを当該箱形筐体１０の内側から覆う溝形の遮蔽壁７０を設けている。そして、この遮蔽壁７０によって、箱形筐体１０の内部空間と当該遮蔽壁７０の内部空間とが完全に仕切られている。そのため、突起物５０が箱形筐体１０から脱落して孔部６０が開いたとしても、外部のゴミや埃、水、ヘアピンといった異物が孔部６０から箱形筐体１０の内部に侵入することがなくなり、箱形筐体に内蔵されている充放電モジュールがそれらのゴミや埃などに起因する動作不良を起こすという事態も防止される。
【００３４】
さらにこの実施形態では、上記遮蔽壁７０を、前ケース２０と後ケース３０とに振り分けて設けられて前後の各板片部２２，３２が互いに突き合わされることによって互いに嵌合して当該遮蔽壁７０を形成する第１及び第２の２つの溝形部材７１，７２に分割されている、という構成を採用している。図２又は図４に示したように、２つの溝形部材７１，７２はいずれも溝形に形成されている。そして、図２に示した第１溝形部材７１は、左右の側壁の上端縁が前ケース２０の上記板片部２２に連設され、かつ、左右の側壁及び底壁の前端縁が前ケース２０の前板部２１に連設された状態になるように前ケース２０と共に一体成形されている。これに対し、図４に示した第２溝形部材７２は、左右の側壁の上端縁が後ケース３０の上記板片部３２に連設され、かつ、左右の側壁及び底壁の後端縁が後ケース３０の後板部３１に連設された状態になるように後ケース３０と共に一体成形されている。この構成を採用しておくと、前ケース２０と後ケース３０とを突き合わせて組み合わせる工程を行うと、第１及び第２の２つの溝形部材７１，７２が図７のように互いに嵌合して遮蔽壁７０を形成する。そのため、遮蔽壁７０を前ケース２０や後ケース３０とは異なる別部材とした場合に比べて箱形筐体１０の組み立てが容易になる。
【００３５】
以上説明した実施形態では、箱形筐体１０を動物の猫に見立ててその外面に猫を表現する柄模様４１〜４３を施し、かつ、箱形筐体１０の上壁部１３に、猫の耳を模した擬似物体である突起物５０を装着してあるけれども、この点は、柄模様や突起物を、犬やパンダ、うさぎなどの他の動物を表現する形態にすることも可能である。また、箱形筐体１０に対する突起物の種類や装着箇所は、実施例に限定されることはなく、たとえば種類については、動物の前脚や後脚を模した擬似物体でなる突起物を選択し、装着箇所については、箱形筐体の左右の側壁部を選択してもよい。さらに、突起物５０の取付け軸部５２の回転を阻止するための溝部５４や突起６１の配置箇所は、実施形態に限定されることはなく、溝部を孔部側に設け、突起を取付け軸部側に設けてもよい。
【符号の説明】
【００３６】
１０  箱形筐体
１３  上壁部
２０  前ケース
２２  前板片部
２８，３８  凹入部
３０  後ケース
３２  後板片部
４１〜４３  柄模様
５０  突起物
５１  平坦面
５２  取付け軸部
５３  鍔部
５４  溝部
６０  孔部
６１  突起
７０  遮蔽壁
７１  第１溝形部材
７２  第２溝形部材
【図１】
0003209319.tif 000003
【図２】
0003209319.tif 000004
【図３】
0003209319.tif 000005
【図４】
0003209319.tif 000006
【図５】
0003209319.tif 000007
【図６】
0003209319.tif 000008
【図７】
0003209319.tif 000009